(57)【要約】      （修正有）【課題】簡単な手動操作により、照明の明るさまたは色合いを調整できる外観の意匠性も優れたＬＥＤ照明装置を提供する。【解決手段】リング部材３は、本体２の溝２ｂに嵌った状態で回転可能に支持されており、リング部材３を回転させることで、リング部材３内周の歯部３ｂと噛合している歯車８が回転する。前記歯車８が回転することで回転型切替スイッチ７ａが切替えられることになる。更にリング部材３の回動動作によって揺動するレバー部材を有し、操作部が切替えられる。【選択図】図１
0003162876.tif 000002
【実用新案登録請求の範囲】
【請求項１】
ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して前記ＬＥＤの照射光量が調整可能な調整手段を備え、前記調整手段には少なくとも前記リング部材の回動操作によって揺動するレバー部材を有し、前記レバー部材が遊嵌する凹部を前記リング部材の内周に形成したことを特徴とするＬＥＤ照明装置。
【請求項２】
ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して前記ＬＥＤの照射光量が調整可能な調整手段を備え、前記調整手段には少なくとも前記リング部材の回動操作によって回転する歯車を有し、前記歯車が噛合する歯部を前記リング部材の内周に形成したことを特徴とするＬＥＤ照明装置。
【請求項３】
ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して前記ＬＥＤの点灯箇所の切替えが可能な調整手段を備え、前記調整手段には少なくとも前記リング部材の回動操作によって揺動するレバー部材を有し、前記レバー部材が遊嵌する凹部を前記リング部材の内周に形成したことを特徴とするＬＥＤ照明装置。
【請求項４】
ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して前記ＬＥＤの点灯箇所の切替えが可能な調整手段を備え、前記調整手段には少なくとも前記リング部材の回動操作によって回転する歯車を有し、前記歯車が噛合する歯部を前記リング部材の内周に形成したことを特徴とするＬＥＤ照明装置。
【請求項５】
前記調整手段は、前記ＬＥＤ基板に配設したレバー部材を有する又は歯車と連結する可変抵抗器若しくは切替スイッチであって、前記リング部材の回動操作に連動して前記ＬＥＤの点灯箇所の切替え又は照射光量の調整を可能としたことを特徴とする請求項１乃至請求項４に記載のＬＥＤ照明装置。
【請求項６】
前記調整手段は、前記電源回路基板に配設したレバー部材を有する又は歯車と連結する可変抵抗器若しくは切替スイッチであって、前記リング部材の回動操作に連動して前記ＬＥＤの点灯箇所の切替え又は照射光量の調整を可能としたことを特徴とする請求項１乃至請求項４に記載のＬＥＤ照明装置。
【請求項７】
前記リング部材と前記透光性カバーを一体に成形したことを特徴とする請求項１乃至請求項６に記載のＬＥＤ照明装置。
【考案の詳細な説明】
【技術分野】
【０００１】
本考案は、光源にＬＥＤを用いた照明装置に係るものであり、詳しくは、照明装置の明るさまたは色合いを調整する調光機能を備えたＬＥＤ照明装置に関するものである。
【背景技術】
【０００２】
従来のフィラメントを用いた白熱電球や蛍光管を用いた蛍光ランプにおいては、ランプ本体で照明の明るさを調整することはできなかったが、光源にＬＥＤ（発光ダイオード）を用いたＬＥＤ照明装置においては、装置の内部にＬＥＤを発光させるための電源回路を備えているため、装置本体で照明の明るさを調整することができる。また、装置の内部に予め異なる発光色のＬＥＤを配設して発光するＬＥＤを切り替えることで、装置本体で照明の色合いを調整することができる。
【０００３】
例えば、特許文献１には、装置本体の側面に照明の明るさや照明の色合いを調整できる操作摘みを備えた内容が記載されている。そして、操作摘みを備える代わりに、リモコン受光部と制御回路を装置内部に備え、リモコン送信器の操作によって照明の明るさや照明の色合いを調整する内容も記載されている。また、特許文献２には、装置本体の側面に照明の色合いを調整できる操作摘みを備えた内容が記載されている。さらに、特許文献３には、装置本体のリングの回転によって発光の照射方向を調整可能とした内容が記載されている。
【０００４】
【特許文献１】特開２００５−２２２７５０
【特許文献２】特開２００４−１１１１０４
【特許文献３】特開２００６−３１０２０７
【考案の概要】
【考案が解決しようとする課題】
【０００５】
照明装置は、照明の明るさや照明の色合いといった照明としての機能的な特性だけでなく、外観の意匠性も重要視されており、特許文献１または特許文献２に記載の照明装置のように、装置本体の側面に操作摘みを備えることは、意匠性を損なう要因となる。また、特許文献１に記載の照明装置のように、操作摘みを備える代わりに、リモコン受光部と制御回路を装置内部に備えることは、電球型ＬＥＤランプなどの小型の照明装置においては、内部に電子部品を収容する広いスペースが必要となり、装置の大型化が懸念される。さらに、特許文献３に記載の照明装置においては、リングの回転がどの様に発光ダイオードの主照射方向を可変するかの具体的方法の記載が示されていない。
【０００６】
本考案の目的は、簡単な手動操作によって照明の明るさまたは色合いが調整でき、外観の意匠性においても優れたＬＥＤ照明装置を提供することにある。
【課題を解決するための手段】
【０００７】
請求項１に係るＬＥＤ照明装置は、ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して前記ＬＥＤの照射光量が調整可能な調整手段を備え、前記調整手段には少なくとも前記リング部材の回動操作によって揺動するレバー部材を有し、前記レバー部材が遊嵌する凹部を前記リング部材の内周に形成したことを特徴としている。
【０００８】
請求項２に係るＬＥＤ照明装置は、ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して前記ＬＥＤの照射光量が調整可能な調整手段を備え、前記調整手段には少なくとも前記リング部材の回動操作によって回転する歯車を有し、前記歯車が噛合する歯部を前記リング部材の内周に形成したことを特徴としている。
【０００９】
請求項３に係るＬＥＤ照明装置は、ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して前記ＬＥＤの点灯箇所の切替えが可能な調整手段を備え、前記調整手段には少なくとも前記リング部材の回動操作によって揺動するレバー部材を有し、前記レバー部材が遊嵌する凹部を前記リング部材の内周に形成したことを特徴としている。
【００１０】
請求項４に係るＬＥＤ照明装置は、ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して前記ＬＥＤの点灯箇所の切替えが可能な調整手段を備え、前記調整手段には少なくとも前記リング部材の回動操作によって回転する歯車を有し、前記歯車が噛合する歯部を前記リング部材の内周に形成したことを特徴としている。
【００１１】
請求項５に係るＬＥＤ照明装置は、請求項１乃至請求項４に記載のＬＥＤ照明装置であって、前記調整手段は、前記ＬＥＤ基板に配設したレバー部材を有する又は歯車と連結する可変抵抗器若しくは切替スイッチであって、前記リング部材の回動操作に連動して前記ＬＥＤの点灯箇所の切替え又は照射光量の調整を可能としたことを特徴としている。
【００１２】
請求項６に係るＬＥＤ照明装置は、請求項１乃至請求項４に記載のＬＥＤ照明装置であって、前記調整手段は、前記電源回路基板に配設したレバー部材を有する又は歯車と連結する可変抵抗器若しくは切替スイッチであって、前記リング部材の回動操作に連動して前記ＬＥＤの点灯箇所の切替え又は照射光量の調整を可能としたことを特徴としている。
【００１３】
請求項７に係るＬＥＤ照明装置は、請求項１乃至請求項６に記載のＬＥＤ照明装置であって、前記リング部材と前記透光性カバーを一体に成形したことを特徴としている。
【考案の効果】
【００１４】
以上のような本考案の構成によれば、照明装置の外周に設けたリング部材若しくは前記リング部材と一体に形成された透光性カバーの回動操作によって、照明の明るさまたは色合いを簡単に調整することができ、操作性の面で優れた照明装置の実現が可能となる。特に、電気スタンドなどの比較的ユーザーの手元において操作が必要な製品において有効である。また、照明装置の外周において操作摘みに代わり回動可能なリング部材を設けることで、外観の意匠性においても優れた製品を提供することが出来る。
【図面の簡単な説明】
【００１５】
【図１】本考案の第一の実施例におけるＬＥＤ照明装置の縦断面図。
【図２】本考案の第一の実施例におけるＬＥＤ照明装置の横断面図。
【図３】本考案の第一の実施例におけるＬＥＤ照明装置の分解斜視図。
【図４】本考案の第一の実施例におけるＬＥＤ照明装置の斜視図。
【図５】本考案の第一の実施例における切替スイッチを用いたＬＥＤ照明装置の回路構成図。
【図６】本考案の第一の実施例における可変抵抗器を用いたＬＥＤ照明装置の回路構成図。
【図７】本考案の第二の実施例におけるＬＥＤ照明装置の縦断面図。
【図８】本考案の第二の実施例におけるＬＥＤ照明装置の横断面図。
【図９】本考案の第三の実施例におけるＬＥＤ照明装置の正面図。
【考案を実施するための形態】
【００１６】
以下、本考案を実施するための最良の形態としての実施例を図１〜図９を用いて説明する。なお、本考案はその主旨に反しない範囲で、実施例において説明した構成以外のものに対しても容易に適用可能である。
【実施例１】
【００１７】
図１は本考案の第一の実施例におけるＬＥＤ照明装置の縦断面図、図２は本考案の第一の実施例におけるＬＥＤ照明装置の横断面図である。同図で示すように、本考案の第一の実施例におけるＬＥＤ照明装置１は、図示上方に比べて下方の直径を小さくした略円筒状の本体２に電源を供給するための回路を実装した電源回路基板５を収容し、前記本体２の上方には、ＬＥＤ４ａが配設されたＬＥＤ基板４と、前記ＬＥＤ４ａの照射方向を覆う透光性カバー６を取付け、前記本体２の下方には、商用電源を取り込むための口金１０を取付けている。そして、前記ＬＥＤ基板４の下面には、回転軸７ｂに歯車８を取着した回転型切替スイッチ７ａを配置し、前記歯車８の一部が外側に露出するための切欠き２ａを前記本体２の上方端部において形成している。また、前記本体２の上部外周には段差状の溝２ｂを形成し、前記溝２ｂに遊嵌する凸部３ａと前記歯車８に噛合する歯部３ｂをそれぞれ形成したリング部材３を回動可能に配設する。このように、リング部材３に形成された凸部３ａが前記本体２の溝２ｂに遊嵌することで前記リング部材３の回動操作が可能となり、前記リング部材３を回動させることで、前記リング部材３内周の歯部３ｂと噛合している歯車８が回転し、前記歯車８の回転に伴って回転型切替スイッチ７ａによる切替えが行われる。
【００１８】
図３は本考案の第一の実施例におけるＬＥＤ照明装置の分解斜視図、図４は本考案の第一の実施例におけるＬＥＤ照明装置の斜視図である。同図で示すように、前記本体２の上方にはＬＥＤ基板４が取付けられ、前記本体２の切欠き２ａからは歯車８が一部露出している。そして、前記本体２の溝２ｂにリング部材３を取付けることで、前記歯車８と前記リング部材３内周の歯部３ｂが噛合し、前記リング部材３は前記本体２に対して回動可能に支持され、前記リング部材３の回動操作に連動して回転型切替スイッチ７ａの切替えが可能となる。そして、前記本体２の上面に透光性カバー６を取付けることで、図４で示すＬＥＤ照明装置の完成状態となる。このように、歯車８の一部を露出させる切欠き２ａはリング部材３で覆われるため、外観上は見えず意匠性を損なうことはない。なお、本実施例ではリング部材３と透光性カバー６を別部品としているが、リング部材３と透光性カバー６を一体に形成し、前記透光性カバー６のリング部材に相当する部分を着色して、前記歯車８が外観上見えないようにすることでも良い。
尚、図1、図3はＬＥＤ基板４に複数のＬＥＤ４ａが配設されたＬＥＤ照明装置例となっているが、ＬＥＤ４ａは数量を限定せずパワーＬＥＤのように単数のＬＥＤ４ａが配説されたＬＥＤ照明装置でも第一の実施例が実現可能である。
【００１９】
図５は本考案の第一の実施例における切替スイッチを用いたＬＥＤ照明装置の回路構成図、図６は本考案の第一の実施例における可変抵抗器を用いたＬＥＤ照明装置の回路構成図である。同図で示すように、ＬＥＤ照明装置１は、ソケットから取り込んだ商用電源１２を、電源回路１１によってＬＥＤ４ａ，４ｂを点灯するための電源に変換して、前記電源回路１１からＬＥＤ４ａ，４ｂへ電源が供給される。発光色の異なる複数のＬＥＤ４ａ，４ｂの点灯は、前記切替スイッチ７の切替操作によって行われる。このように、リング部材３を回転させれば照明の色合いを切替えることができる。図６は可変抵抗器９を用いた回路で、電源回路１１の出力電圧調整用抵抗の抵抗値を可変する。これにより、リング部材３を回転させれば照明の明るさを調整することができる。可変抵抗器９を備える場合には、図１において、電源回路基板５の上面に回転型可変抵抗器（図示せず）を取付けることで良い。なお、ソケットから取り込む電源を商用電源（交流電源）としているが、直流電源を取り込む場合には電源回路１１の回路構成を変えることで良い。
【実施例２】
【００２０】
図７は本考案の第二の実施例におけるＬＥＤ照明装置の縦断面図、図８は本考案の第二の実施例におけるＬＥＤ照明装置の横断面図である。なお、先の実施例において同一または同様の構成については同一の符号を付し、詳細な説明については省略する。第一の実施例におけるＬＥＤ照明装置１では、回転軸７ｂを回転することで操作可能な回転型切替スイッチ７ａを備えていたが、同図で示すように、第二の実施例においては操作部をスライドすることで操作可能なスライド型切替スイッチ７ｃを備える。すなわち、ＬＥＤ基板４の下面にスライド型切替スイッチ７ｃを取付け、リング部材３の内周には、本体２の溝２ｂに嵌る凸部３ａを形成すると共に、前記凸部３ａにはスライド型切替スイッチ７ｃの操作部７ｄが遊嵌する凹部３ｃを形成している。前述の構成により、リング部材３を回転させることで、前記リング部材３内周の凹部３ｃに遊嵌している操作部７ｄが操作されることでスライド型切替スイッチ７ｃが切替えられることになる。なお、スライド型可変抵抗器を備える場合には、同図において、電源回路基板５の上面にスライド型可変抵抗器（図示せず）を取付けることで良い。
尚、図７はＬＥＤ基板４に複数のＬＥＤ４ａが配設されたＬＥＤ照明装置例となっているが、ＬＥＤ４ａは数量を限定せずパワーＬＥＤのように単数のＬＥＤ４ａが配説されたＬＥＤ照明装置でも第二の実施例が実現可能である。
【実施例３】
【００２１】
図９は本考案の第三の実施例におけるＬＥＤ照明装置の正面図である。先の実施例で示したＬＥＤ照明装置の形状は略球状であったが、本実施例においては略直管状としている。同図で示すように、ＬＥＤ照明装置１０１は、電源回路を実装した電源回路基板１０５を本体１０２に収容し、ＬＥＤ１０４ａを実装したＬＥＤ基板１０４を透光性カバー１０６で覆い、本体１０２と透光性カバー１０６を同じ径の円筒としている。また前記ＬＥＤ照明装置１０１の両端には、商用電源を取り込むためのソケット１１０を取付けている。そして、前記ＬＥＤ基板１０４の下面には回転型切替スイッチ１０７ａを取付け、前期回転型切替スイッチ１０７ａの回転軸１０７ｂには歯車１０８を取着している。また本体１０２には、前記歯車１０８の外周の一部を外側に露出するための開口部（図示せず）を形成し、リング部材１０３を回転可能に支持するための溝（図示せず）を形成している。このように第三の実施例で示す略直管状のＬＥＤ照明装置１０１においても、リング部材１０３が本体１０２の溝（図示せず）に嵌った状態で回転可能に支持され、前記リング部材１０３を回転させることで、前記リング部材１０３内周の歯部（図示せず）と噛合している歯車１０８が回転して回転型切替スイッチ１０７ａが切替えられる。
【００２２】
このように、装置外側となる本体外周に、ＬＥＤ基板または電源回路基板に取付けた可変抵抗器または切替スイッチを操作するリング部材を設けたことで、外観の意匠性を損なうことなく簡単な手動操作により照明の明るさまたは色合いを調整することができる。また、前記リング部材と透光性カバーを一体に成形することで、前記透光性カバーを回転させることでも、照明の明るさまたは色合いを調整することができるため、特に電気スタンドなど手元で使う用途においては、操作性の面でも優れたＬＥＤ照明装置を提供することができる。尚、回転型切替スイッチの回転方向は順方向、逆方向どちらで操作しても良い。さらにＬＥＤ基板に配設されているＬＥＤ４ａは数量を限定せず、複数又は単数のいづれであっても照射光量が調整可能である。
【符号の説明】
【００２３】
１  ＬＥＤ照明装置
２  本体
２ａ  切欠き
２ｂ  溝
３  リング部材
３ａ  凸部
３ｂ  歯部
４  ＬＥＤ基板
４ａ  ＬＥＤ
４ｂ  ＬＥＤ
５  電源回路基板
６  透光性カバー
７  切替スイッチ
７ａ  回転型切替スイッチ
７ｂ  回転軸
７ｃ  スライド型切替スイッチ
７ｄ  操作部
８  歯車
９  可変抵抗器
１０  口金
１１  電源回路
１２  商用電源
１０１  ＬＥＤ照明装置
１０２  本体
１０３  リング部材
１０４  ＬＥＤ基板
１０４ａ  ＬＥＤ
１０５  電源回路基板
１０６  透光性カバー
１０７ａ  回転型切替スイッチ
１０７ｂ  回転軸
１０８  歯車
１１０  ソケット
【図１】
0003162876.tif 000003
【図２】
0003162876.tif 000004
【図３】
0003162876.tif 000005
【図４】
0003162876.tif 000006
【図５】
0003162876.tif 000007
【図６】
0003162876.tif 000008
【図７】
0003162876.tif 000009
【図８】
0003162876.tif 000010
【図９】
0003162876.tif 000011
【手続補正書】
【提出日】平成22年6月18日(2010.6.18)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動する操作部を可変抵抗器と連結して前記ＬＥＤ基板に配設し、前記操作部が遊嵌する凹部を前記リング部材の内周に形成し、前記リング部材の回動操作によって前記操作部を操作することで前記ＬＥＤの照射光量を調整可能とする調整手段としたことを特徴とするＬＥＤ照明装置。
【請求項２】
ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して回転する歯車を可変抵抗器と連結して前記ＬＥＤ基板に配設し、前記歯車が噛合する歯部を前記リング部材の内周に形成し、前記リング部材の回動操作によって歯車を回転することで前記ＬＥＤの照射光量を調整可能とする調整手段としたことを特徴とするＬＥＤ照明装置。
【請求項３】
ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動する操作部を可変抵抗器と連結して前記ＬＥＤ基板に配設し、前記操作部が遊嵌する凹部を前記リング部材の内周に形成し、前記リング部材の回動操作によって前記操作部を操作することで前記ＬＥＤの点灯箇所の切替えを可能とする調整手段としたことを特徴とするＬＥＤ照明装置。
【請求項４】
ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して回転する歯車を可変抵抗器と連結して前記ＬＥＤ基板に配設し、前記歯車が噛合する歯部を前記リング部材の内周に形成し、前記リング部材の回動操作によって歯車を回転することで前記ＬＥＤの点灯箇所の切替えを可能とする調整手段としたことを特徴とするＬＥＤ照明装置。
【請求項５】
前記可変抵抗器の代わりに切替スイッチを使用したことを特徴とする請求項１乃至請求項４に記載のＬＥＤ照明装置。
【請求項６】
前記操作部又は前記歯車を、ＬＥＤ基板の代わりに電源回路基板に配設したことを特徴とする請求項１乃至請求項５に記載のＬＥＤ照明装置。
【請求項７】
前記リング部材と前記透光性カバーを一体に成形したことを特徴とする請求項１乃至請求項６に記載のＬＥＤ照明装置。 
【手続補正２】
【補正対象書類名】明細書
【補正対象項目名】全文
【補正方法】変更
【補正の内容】
【考案の詳細な説明】
【技術分野】
【０００１】本考案は、光源にＬＥＤを用いた照明装置に係るものであり、詳しくは、照明装置の明るさまたは色合いを調整する調光機能を備えたＬＥＤ照明装置に関するものである。
【背景技術】
【０００２】従来のフィラメントを用いた白熱電球や蛍光管を用いた蛍光ランプにおいては、ランプ本体で照明の明るさを調整することはできなかったが、光源にＬＥＤ（発光ダイオード）を用いたＬＥＤ照明装置においては、装置の内部にＬＥＤを発光させるための電源回路を備えているため、装置本体で照明の明るさを調整することができる。また、装置の内部に予め異なる発光色のＬＥＤを配設して発光するＬＥＤを切り替えることで、装置本体で照明の色合いを調整することができる。【０００３】  例えば、特許文献１には、装置本体の側面に照明の明るさや照明の色合いを調整できる操作摘みを備えた内容が記載されている。そして、操作摘みを備える代わりに、リモコン受光部と制御回路を装置内部に備え、リモコン送信器の操作によって照明の明るさや照明の色合いを調整する内容も記載されている。また、特許文献２には、装置本体の側面に照明の色合いを調整できる操作摘みを備えた内容が記載されている。さらに、特許文献３には、装置本体のリングの回転によって発光の照射方向を調整可能とした内容が記載されている。【０００４】
【特許文献１】特開２００５−２２２７５０
【特許文献２】特開２００４−１１１１０４
【特許文献３】特開２００６−３１０２０７
【考案の概要】
【考案が解決しようとする課題】
【０００５】  照明装置は、照明の明るさや照明の色合いといった照明としての機能的な特性だけでなく、外観の意匠性も重要視されており、特許文献１または特許文献２に記載の照明装置のように、装置本体の側面に操作摘みを備えることは、意匠性を損なう要因となる。また、特許文献１に記載の照明装置のように、操作摘みを備える代わりに、リモコン受光部と制御回路を装置内部に備えることは、電球型ＬＥＤランプなどの小型の照明装置においては、内部に電子部品を収容する広いスペースが必要となり、装置の大型化が懸念される。さらに、特許文献３に記載の照明装置においては、リングの回転がどの様に発光ダイオードの主照射方向を可変するかの具体的方法の記載が示されていない。【０００６】  本考案の目的は、簡単な手動操作によって照明の明るさまたは色合いが調整でき、外観の意匠性においても優れたＬＥＤ照明装置を提供することにある。
【課題を解決するための手段】
【０００７】  請求項１に係るＬＥＤ照明装置は、ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動する操作部を可変抵抗器と連結して前記ＬＥＤ基板に配設し、前記操作部が遊嵌する凹部を前記リング部材の内周に形成し、前記リング部材の回動操作によって前記操作部を操作することで前記ＬＥＤの照射光量を調整可能とする調整手段としたことを特徴としている。【０００８】  請求項２に係るＬＥＤ照明装置は、ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して回転する歯車を可変抵抗器と連結して前記ＬＥＤ基板に配設し、前記歯車が噛合する歯部を前記リング部材の内周に形成し、前記リング部材の回動操作によって歯車を回転することで前記ＬＥＤの照射光量を調整可能とする調整手段としたことを特徴としている。【０００９】  請求項３に係るＬＥＤ照明装置は、ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動する操作部を可変抵抗器と連結して前記ＬＥＤ基板に配設し、前記操作部が遊嵌する凹部を前記リング部材の内周に形成し、前記リング部材の回動操作によって前記操作部を操作することで前記ＬＥＤの点灯箇所の切替えを可能とする調整手段としたことを特徴としている。【００１０】  請求項４に係るＬＥＤ照明装置は、ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して回転する歯車を可変抵抗器と連結して前記ＬＥＤ基板に配設し、前記歯車が噛合する歯部を前記リング部材の内周に形成し、前記リング部材の回動操作によって歯車を回転することで前記ＬＥＤの点灯箇所の切替えを可能とする調整手段としたことを特徴としている。【００１１】  請求項５に係るＬＥＤ照明装置は、請求項１乃至請求項４に記載のＬＥＤ照明装置であって、前記調整手段は、前記可変抵抗器の代わりに切替スイッチを使用したことを特徴としている。【００１２】  請求項６に係るＬＥＤ照明装置は、請求項１乃至請求項５に記載のＬＥＤ照明装置であって、前記操作部又は前記歯車を、ＬＥＤ基板の代わりに電源回路基板に配設したことを特徴としている。【００１３】  請求項７に係るＬＥＤ照明装置は、請求項１乃至請求項６に記載のＬＥＤ照明装置であって、前記リング部材と前記透光性カバーを一体に成形したことを特徴としている。
【考案の効果】
【００１４】  以上のような本考案の構成によれば、照明装置の外周に設けたリング部材若しくは前記リング部材と一体に形成された透光性カバーの回動操作によって、照明の明るさまたは色合いを簡単に調整することができ、操作性の面で優れた照明装置の実現が可能となる。特に、電気スタンドなどの比較的ユーザーの手元において操作が必要な製品において有効である。また、照明装置の外周において操作摘みに代わり回動可能なリング部材を設けることで、外観の意匠性においても優れた製品を提供することが出来る。
【図面の簡単な説明】
【００１５】
【図１】本考案の第一の実施例におけるＬＥＤ照明装置の縦断面図。
【図２】本考案の第一の実施例におけるＬＥＤ照明装置の横断面図。
【図３】本考案の第一の実施例におけるＬＥＤ照明装置の分解斜視図。
【図４】本考案の第一の実施例におけるＬＥＤ照明装置の斜視図。
【図５】本考案の第一の実施例における切替スイッチを用いたＬＥＤ照明装置の回路構成図。
【図６】本考案の第一の実施例における可変抵抗器を用いたＬＥＤ照明装置の回路構成図。
【図７】本考案の第二の実施例におけるＬＥＤ照明装置の縦断面図。
【図８】本考案の第二の実施例におけるＬＥＤ照明装置の横断面図。
【図９】本考案の第三の実施例におけるＬＥＤ照明装置の正面図。
【考案を実施するための形態】
【００１６】以下、本考案を実施するための最良の形態としての実施例を図１〜図９を用いて説明する。なお、本考案はその主旨に反しない範囲で、実施例において説明した構成以外のものに対しても容易に適用可能である。
【実施例１】
【００１７】図１は本考案の第一の実施例におけるＬＥＤ照明装置の縦断面図、図２は本考案の第一の実施例におけるＬＥＤ照明装置の横断面図である。同図で示すように、本考案の第一の実施例におけるＬＥＤ照明装置１は、図示上方に比べて下方の直径を小さくした略円筒状の本体２に電源を供給するための回路を実装した電源回路基板５を収容し、前記本体２の上方には、ＬＥＤ４ａが配設されたＬＥＤ基板４と、前記ＬＥＤ４ａの照射方向を覆う透光性カバー６を取付け、前記本体２の下方には、商用電源を取り込むための口金１０を取付けている。そして、前記ＬＥＤ基板４の下面には、回転軸７ｂに歯車８を取着した回転型切替スイッチ７ａを配置し、前記歯車８の一部が外側に露出するための切欠き２ａを前記本体２の上方端部において形成している。また、前記本体２の上部外周には段差状の溝２ｂを形成し、前記溝２ｂに遊嵌する凸部３ａと前記歯車８に噛合する歯部３ｂをそれぞれ形成したリング部材３を回動可能に配設する。このように、リング部材３に形成された凸部３ａが前記本体２の溝２ｂに遊嵌することで前記リング部材３の回動操作が可能となり、前記リング部材３を回動させることで、前記リング部材３内周の歯部３ｂと噛合している歯車８が回転し、前記歯車８の回転に伴って回転型切替スイッチ７ａによる切替えが行われる。【００１８】図３は本考案の第一の実施例におけるＬＥＤ照明装置の分解斜視図、図４は本考案の第一の実施例におけるＬＥＤ照明装置の斜視図である。同図で示すように、前記本体２の上方にはＬＥＤ基板４が取付けられ、前記本体２の切欠き２ａからは歯車８が一部露出している。そして、前記本体２の溝２ｂにリング部材３を取付けることで、前記歯車８と前記リング部材３内周の歯部３ｂが噛合し、前記リング部材３は前記本体２に対して回動可能に支持され、前記リング部材３の回動操作に連動して回転型切替スイッチ７ａの切替えが可能となる。そして、前記本体２の上面に透光性カバー６を取付けることで、図４で示すＬＥＤ照明装置の完成状態となる。このように、歯車８の一部を露出させる切欠き２ａはリング部材３で覆われるため、外観上は見えず意匠性を損なうことはない。なお、本実施例ではリング部材３と透光性カバー６を別部品としているが、リング部材３と透光性カバー６を一体に形成し、前記透光性カバー６のリング部材に相当する部分を着色して、前記歯車８が外観上見えないようにすることでも良い。尚、図1、図3はＬＥＤ基板４に複数のＬＥＤ４ａが配設されたＬＥＤ照明装置例となっているが、ＬＥＤ４ａは数量を限定せずパワーＬＥＤのように単数のＬＥＤ４ａが配説されたＬＥＤ照明装置でも第一の実施例が実現可能である。【００１９】図５は本考案の第一の実施例における切替スイッチを用いたＬＥＤ照明装置の回路構成図、図６は本考案の第一の実施例における可変抵抗器を用いたＬＥＤ照明装置の回路構成図である。同図で示すように、ＬＥＤ照明装置１は、ソケットから取り込んだ商用電源１２を、電源回路１１によってＬＥＤ４ａ，４ｂを点灯するための電源に変換して、前記電源回路１１からＬＥＤ４ａ，４ｂへ電源が供給される。発光色の異なる複数のＬＥＤ４ａ，４ｂの点灯は、前記切替スイッチ７���切替操作によって行われる。このように、リング部材３を回転させれば照明の色合いを切替えることができる。図６は可変抵抗器９を用いた回路で、電源回路１１の出力電圧調整用抵抗の抵抗値を可変する。これにより、リング部材３を回転させれば照明の明るさを調整することができる。可変抵抗器９を備える場合には、図１において、電源回路基板５の上面に回転型可変抵抗器（図示せず）を取付けることで良い。なお、ソケットから取り込む電源を商用電源（交流電源）としているが、直流電源を取り込む場合には電源回路１１の回路構成を変えることで良い。
【実施例２】
【００２０】図７は本考案の第二の実施例におけるＬＥＤ照明装置の縦断面図、図８は本考案の第二の実施例におけるＬＥＤ照明装置の横断面図である。なお、先の実施例において同一または同様の構成については同一の符号を付し、詳細な説明については省略する。第一の実施例におけるＬＥＤ照明装置１では、回転軸７ｂを回転することで操作可能な回転型切替スイッチ７ａを備えていたが、同図で示すように、第二の実施例においては操作部をスライドすることで操作可能なスライド型切替スイッチ７ｃを備える。すなわち、ＬＥＤ基板４の下面にスライド型切替スイッチ７ｃを取付け、リング部材３の内周には、本体２の溝２ｂに嵌る凸部３ａを形成すると共に、前記凸部３ａにはスライド型切替スイッチ７ｃの操作部７ｄが遊嵌する凹部３ｃを形成している。前述の構成により、リング部材３を回転させることで、前記リング部材３内周の凹部３ｃに遊嵌している操作部７ｄが操作されることでスライド型切替スイッチ７ｃが切替えられることになる。なお、スライド型可変抵抗器を備える場合には、同図において、電源回路基板５の上面にスライド型可変抵抗器（図示せず）を取付けることで良い。尚、図７はＬＥＤ基板４に複数のＬＥＤ４ａが配設されたＬＥＤ照明装置例となっているが、ＬＥＤ４ａは数量を限定せずパワーＬＥＤのように単数のＬＥＤ４ａが配説されたＬＥＤ照明装置でも第二の実施例が実現可能である。
【実施例３】
【００２１】  図９は本考案の第三の実施例におけるＬＥＤ照明装置の正面図である。先の実施例で示したＬＥＤ照明装置の形状は略球状であったが、本実施例においては略直管状としている。同図で示すように、ＬＥＤ照明装置１０１は、電源回路を実装した電源回路基板１０５を本体１０２に収容し、ＬＥＤ１０４ａを実装したＬＥＤ基板１０４を透光性カバー１０６で覆い、本体１０２と透光性カバー１０６を同じ径の円筒としている。また前記ＬＥＤ照明装置１０１の両端には、商用電源を取り込むためのソケット１１０を取付けている。そして、前記ＬＥＤ基板１０４の下面には回転型切替スイッチ１０７ａを取付け、前期回転型切替スイッチ１０７ａの回転軸１０７ｂには歯車１０８を取着している。また本体１０２には、前記歯車１０８の外周の一部を外側に露出するための開口部（図示せず）を形成し、リング部材１０３を回転可能に支持するための溝（図示せず）を形成している。このように第三の実施例で示す略直管状のＬＥＤ照明装置１０１においても、リング部材１０３が本体１０２の溝（図示せず）に嵌った状態で回転可能に支持され、前記リング部材１０３を回転させることで、前記リング部材１０３内周の歯部（図示せず）と噛合している歯車１０８が回転して回転型切替スイッチ１０７ａが切替えられる。【００２２】  このように、装置外側となる本体外周に、ＬＥＤ基板または電源回路基板に取付けた可変抵抗器または切替スイッチを操作するリング部材を設けたことで、外観の意匠性を損なうことなく簡単な手動操作により照明の明るさまたは色合いを調整することができる。また、前記リング部材と透光性カバーを一体に成形することで、前記透光性カバーを回転させることでも、照明の明るさまたは色合いを調整することができるため、特に電気スタンドなど手元で使う用途においては、操作性の面でも優れたＬＥＤ照明装置を提供することができる。尚、回転型切替スイッチの回転方向は順方向、逆方向どちらで操作しても良い。さらにＬＥＤ基板に配設されているＬＥＤ４ａは数量を限定せず、複数又は単数のいづれであっても照射光量が調整可能である。
【符号の説明】
【００２３】１  ＬＥＤ照明装置２  本体２ａ  切欠き２ｂ  溝３  リング部材３ａ  凸部３ｂ  歯部４  ＬＥＤ基板４ａ  ＬＥＤ４ｂ  ＬＥＤ５  電源回路基板６  透光性カバー７  切替スイッチ７ａ  回転型切替スイッチ７ｂ  回転軸７ｃ  スライド型切替スイッチ７ｄ  操作部８  歯車９  可変抵抗器１０  口金１１  電源回路１２  商用電源１０１  ＬＥＤ照明装置１０２  本体１０３  リング部材１０４  ＬＥＤ基板１０４ａ  ＬＥＤ１０５  電源回路基板１０６  透光性カバー１０７ａ  回転型切替スイッチ１０７ｂ  回転軸１０８  歯車１１０  ソケット 
【手続補正書】
【提出日】平成22年7月21日(2010.7.21)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動する操作部を可変抵抗器と連結して前記ＬＥＤ基板に配設し、前記操作部が遊嵌する凹部を前記リング部材の内周に形成し、前記リング部材の回動操作によって前記操作部を操作することで前記ＬＥＤの照射光量を調整可能とする調整手段としたことを特徴とするＬＥＤ照明装置。
【請求項２】
ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して回転する歯車を可変抵抗器と連結して前記ＬＥＤ基板に配設し、前記歯車が噛合する歯部を前記リング部材の内周に形成し、前記リング部材の回動操作によって歯車を回転することで前記ＬＥＤの照射光量を調整可能とする調整手段としたことを特徴とするＬＥＤ照明装置。
【請求項３】
ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動する操作部を可変抵抗器と連結して前記ＬＥＤ基板に配設し、前記操作部が遊嵌する凹部を前記リング部材の内周に形成し、前記リング部材の回動操作によって前記操作部を操作することで前記ＬＥＤの点灯箇所の切替えを可能とする調整手段としたことを特徴とするＬＥＤ照明装置。
【請求項４】
ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して回転する歯車を可変抵抗器と連結して前記ＬＥＤ基板に配設し、前記歯車が噛合する歯部を前記リング部材の内周に形成し、前記リング部材の回動操作によって歯車を回転することで前記ＬＥＤの点灯箇所の切替えを可能とする調整手段としたことを特徴とするＬＥＤ照明装置。
【請求項５】
前記可変抵抗器の代わりに切替スイッチを使用したことを特徴とする請求項１〜４のいずれか一項に記載のＬＥＤ照明装置。
【請求項６】
前記操作部又は前記歯車を、ＬＥＤ基板の代わりに電源回路基板に配設したことを特徴とする請求項１〜５のいずれか一項に記載のＬＥＤ照明装置。
【請求項７】
前記リング部材と前記透光性カバーを一体に成形したことを特徴とする請求項１〜６のいずれか一項に記載のＬＥＤ照明装置。
【手続補正２】
【補正対象書類名】明細書
【補正対象項目名】全文
【補正方法】変更
【補正の内容】
【考案の詳細な説明】
【技術分野】
【０００１】
本考案は、光源にＬＥＤを用いた照明装置に係るものであり、詳しくは、照明装置の明るさまたは色合いを調整する調光機能を備えたＬＥＤ照明装置に関するものである。
【背景技術】
【０００２】
従来のフィラメントを用いた白熱電球や蛍光管を用いた蛍光ランプにおいては、ランプ本体で照明の明るさを調整することはできなかったが、光源にＬＥＤ（発光ダイオード）を用いたＬＥＤ照明装置においては、装置の内部にＬＥＤを発光させるための電源回路を備えているため、装置本体で照明の明るさを調整することができる。また、装置の内部に予め異なる発光色のＬＥＤを配設して発光するＬＥＤを切り替えることで、装置本体で照明の色合いを調整することができる。
【０００３】
例えば、特許文献１には、装置本体の側面に照明の明るさや照明の色合いを調整できる操作摘みを備えた内容が記載されている。そして、操作摘みを備える代わりに、リモコン受光部と制御回路を装置内部に備え、リモコン送信器の操作によって照明の明るさや照明の色合いを調整する内容も記載されている。また、特許文献２には、装置本体の側面に照明の色合いを調整できる操作摘みを備えた内容が記載されている。さらに、特許文献３には、装置本体のリングの回転によって発光の照射方向を調整可能とした内容が記載されている。
【０００４】
【特許文献１】特開２００５−２２２７５０
【特許文献２】特開２００４−１１１１０４
【特許文献３】特開２００６−３１０２０７
【考案の概要】
【考案が解決しようとする課題】
【０００５】
照明装置は、照明の明るさや照明の色合いといった照明としての機能的な特性だけでなく、外観の意匠性も重要視されており、特許文献１または特許文献２に記載の照明装置のように、装置本体の側面に操作摘みを備えることは、意匠性を損なう要因となる。また、特許文献１に記載の照明装置のように、操作摘みを備える代わりに、リモコン受光部と制御回路を装置内部に備えることは、電球型ＬＥＤランプなどの小型の照明装置においては、内部に電子部品を収容する広いスペースが必要となり、装置の大型化が懸念される。さらに、特許文献３に記載の照明装置においては、リングの回転がどの様に発光ダイオードの主照射方向を可変するかの具体的方法の記載が示されていない。
【０００６】
本考案の目的は、簡単な手動操作によって照明の明るさまたは色合いが調整でき、外観の意匠性においても優れたＬＥＤ照明装置を提供することにある。
【課題を解決するための手段】
【０００７】
請求項１に係るＬＥＤ照明装置は、ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動する操作部を可変抵抗器と連結して前記ＬＥＤ基板に配設し、前記操作部が遊嵌する凹部を前記リング部材の内周に形成し、前記リング部材の回動操作によって前記操作部を操作することで前記ＬＥＤの照射光量を調整可能とする調整手段としたことを特徴としている。
【０００８】
請求項２に係るＬＥＤ照明装置は、ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して回転する歯車を可変抵抗器と連結して前記ＬＥＤ基板に配設し、前記歯車が噛合する歯部を前記リング部材の内周に形成し、前記リング部材の回動操作によって歯車を回転することで前記ＬＥＤの照射光量を調整可能とする調整手段としたことを特徴としている。
【０００９】
請求項３に係るＬＥＤ照明装置は、ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動する操作部を可変抵抗器と連結して前記ＬＥＤ基板に配設し、前記操作部が遊嵌する凹部を前記リング部材の内周に形成し、前記リング部材の回動操作によって前記操作部を操作することで前記ＬＥＤの点灯箇所の切替えを可能とする調整手段としたことを特徴としている。
【００１０】
請求項４に係るＬＥＤ照明装置は、ＬＥＤが配設されたＬＥＤ基板と、前記ＬＥＤを発光するための電源を供給する電源回路基板と、前記ＬＥＤの照射方向を覆う透光性カバーと、前記電源回路基板を収容する本体と、外部より電源を取り込むためのソケットと、を備えたＬＥＤ照明装置であって、前記本体の外周側には回動可能なリング部材を設け、装置内部には、前記リング部材の回動操作に連動して回転する歯車を可変抵抗器と連結して前記ＬＥＤ基板に配設し、前記歯車が噛合する歯部を前記リング部材の内周に形成し、前記リング部材の回動操作によって歯車を回転することで前記ＬＥＤの点灯箇所の切替えを可能とする調整手段としたことを特徴としている。
【００１１】
請求項５に係るＬＥＤ照明装置は、請求項１〜４のいずれか一項に記載のＬＥＤ照明装置であって、前記調整手段は、前記可変抵抗器の代わりに切替スイッチを使用したことを特徴としている。
【００１２】
請求項６に係るＬＥＤ照明装置は、請求項１〜５のいずれか一項に記載のＬＥＤ照明装置であって、前記操作部又は前記歯車を、ＬＥＤ基板の代わりに電源回路基板に配設したことを特徴としている。
【００１３】
請求項７に係るＬＥＤ照明装置は、請求項１〜６のいずれか一項に記載のＬＥＤ照明装置であって、前記リング部材と前記透光性カバーを一体に成形したことを特徴としている。
【考案の効果】
【００１４】
以上のような本考案の構成によれば、照明装置の外周に設けたリング部材若しくは前記リング部材と一体に形成された透光性カバーの回動操作によって、照明の明るさまたは色合いを簡単に調整することができ、操作性の面で優れた照明装置の実現が可能となる。特に、電気スタンドなどの比較的ユーザーの手元において操作が必要な製品において有効である。また、照明装置の外周において操作摘みに代わり回動可能なリング部材を設けることで、外観の意匠性においても優れた製品を提供することが出来る。
【図面の簡単な説明】
【００１５】
【図１】本考案の第一の実施例におけるＬＥＤ照明装置の縦断面図。
【図２】本考案の第一の実施例におけるＬＥＤ照明装置の横断面図。
【図３】本考案の第一の実施例におけるＬＥＤ照明装置の分解斜視図。
【図４】本考案の第一の実施例におけるＬＥＤ照明装置の斜視図。
【図５】本考案の第一の実施例における切替スイッチを用いたＬＥＤ照明装置の回路構成図。
【図６】本考案の第一の実施例における可変抵抗器を用いたＬＥＤ照明装置の回路構成図。
【図７】本考案の第二の実施例におけるＬＥＤ照明装置の縦断面図。
【図８】本考案の第二の実施例におけるＬＥＤ照明装置の横断面図。
【図９】本考案の第三の実施例におけるＬＥＤ照明装置の正面図。
【考案を実施するための形態】
【００１６】
以下、本考案を実施するための最良の形態としての実施例を図１〜図９を用いて説明する。なお、本考案はその主旨に反しない範囲で、実施例において説明した構成以外のものに対しても容易に適用可能である。
【実施例１】
【００１７】
図１は本考案の第一の実施例におけるＬＥＤ照明装置の縦断面図、図２は本考案の第一の実施例におけるＬＥＤ照明装置の横断面図である。同図で示すように、本考案の第一の実施例におけるＬＥＤ照明装置１は、図示上方に比べて下方の直径を小さくした略円筒状の本体２に電源を供給するための回路を実装した電源回路基板５を収容し、前記本体２の上方には、ＬＥＤ４ａが配設されたＬＥＤ基板４と、前記ＬＥＤ４ａの照射方向を覆う透光性カバー６を取付け、前記本体２の下方には、商用電源を取り込むための口金１０を取付けている。そして、前記ＬＥＤ基板４の下面には、回転軸７ｂに歯車８を取着した回転型切替スイッチ７ａを配置し、前記歯車８の一部が外側に露出するための切欠き２ａを前記本体２の上方端部において形成している。また、前記本体２の上部外周には段差状の溝２ｂを形成し、前記溝２ｂに遊嵌する凸部３ａと前記歯車８に噛合する歯部３ｂをそれぞれ形成したリング部材３を回動可能に配設する。このように、リング部材３に形成された凸部３ａが前記本体２の溝２ｂに遊嵌することで前記リング部材３の回動操作が可能となり、前記リング部材３を回動させることで、前記リング部材３内周の歯部３ｂと噛合している歯車８が回転し、前記歯車８の回転に伴って回転型切替スイッチ７ａによる切替えが行われる。
【００１８】
図３は本考案の第一の実施例におけるＬＥＤ照明装置の分解斜視図、図４は本考案の第一の実施例におけるＬＥＤ照明装置の斜視図である。同図で示すように、前記本体２の上方にはＬＥＤ基板４が取付けられ、前記本体２の切欠き２ａからは歯車８が一部露出している。そして、前記本体２の溝２ｂにリング部材３を取付けることで、前記歯車８と前記リング部材３内周の歯部３ｂが噛合し、前記リング部材３は前記本体２に対して回動可能に支持され、前記リング部材３の回動操作に連動して回転型切替スイッチ７ａの切替えが可能となる。そして、前記本体２の上面に透光性カバー６を取付けることで、図４で示すＬＥＤ照明装置の完成状態となる。このように、歯車８の一部を露出させる切欠き２ａはリング部材３で覆われるため、外観上は見えず意匠性を損なうことはない。なお、本実施例ではリング部材３と透光性カバー６を別部品としているが、リング部材３と透光性カバー６を一体に形成し、前記透光性カバー６のリング部材に相当する部分を着色して、前記歯車８が外観上見えないようにすることでも良い。
尚、図1、図3はＬＥＤ基板４に複数のＬＥＤ４ａが配設されたＬＥＤ照明装置例となっているが、ＬＥＤ４ａは数量を限定せずパワーＬＥＤのように単数のＬＥＤ４ａが配説されたＬＥＤ照明装置でも第一の実施例が実現可能である。
【００１９】
図５は本考案の第一の実施例における切替スイッチを用いたＬＥＤ照明装置の回路構成図、図６は本考案の第一の実施例における可変抵抗器を用いたＬＥＤ照明装置の回路構成図である。同図で示すように、ＬＥＤ照明装置１は、ソケットから取り込んだ商用電源１２を、電源回路１１によってＬＥＤ４ａ，４ｂを点灯するための電源に変換して、前記電源回路１１からＬＥＤ４ａ，４ｂへ電源が供給される。発光色の異なる複数のＬＥＤ４ａ，４ｂの点灯は、前記切替スイッチ７の切替操作によって行われる。このように、リング部材３を回転させれば照明の色合いを切替えることができる。図６は可変抵抗器９を用いた回路で、電源回路１１の出力電圧調整用抵抗の抵抗値を可変する。これにより、リング部材３を回転させれば照明の明るさを調整することができる。可変抵抗器９を備える場合には、図１において、電源回路基板５の上面に回転型可変抵抗器（図示せず）を取付けることで良い。なお、ソケットから取り込む電源を商用電源（交流電源）としているが、直流電源を取り込む場合には電源回路１１の回路構成を変えることで良い。
【実施例２】
【００２０】
図７は本考案の第二の実施例におけるＬＥＤ照明装置の縦断面図、図８は本考案の第二の実施例におけるＬＥＤ照明装置の横断面図である。なお、先の実施例において同一または同様の構成については同一の符号を付し、詳細な説明については省略する。第一の実施例におけるＬＥＤ照明装置１では、回転軸７ｂを回転することで操作可能な回転型切替スイッチ７ａを備えていたが、同図で示すように、第二の実施例においては操作部をスライドすることで操作可能なスライド型切替スイッチ７ｃを備える。すなわち、ＬＥＤ基板４の下面にスライド型切替スイッチ７ｃを取付け、リング部材３の内周には、本体２の溝２ｂに嵌る凸部３ａを形成すると共に、前記凸部３ａにはスライド型切替スイッチ７ｃの操作部７ｄが遊嵌する凹部３ｃを形成している。前述の構成により、リング部材３を回転させることで、前記リング部材３内周の凹部３ｃに遊嵌している操作部７ｄが操作されることでスライド型切替スイッチ７ｃが切替えられることになる。なお、スライド型可変抵抗器を備える場合には、同図において、電源回路基板５の上面にスライド型可変抵抗器（図示せず）を取付けることで良い。
尚、図７はＬＥＤ基板４に複数のＬＥＤ４ａが配設されたＬＥＤ照明装置例となっているが、ＬＥＤ４ａは数量を限定せずパワーＬＥＤのように単数のＬＥＤ４ａが配説されたＬＥＤ照明装置でも第二の実施例が実現可能である。
【実施例３】
【００２１】
図９は本考案の第三の実施例におけるＬＥＤ照明装置の正面図である。先の実施例で示したＬＥＤ照明装置の形状は略球状であったが、本実施例においては略直管状としている。同図で示すように、ＬＥＤ照明装置１０１は、電源回路を実装した電源回路基板１０５を本体１０２に収容し、ＬＥＤ１０４ａを実装したＬＥＤ基板１０４を透光性カバー１０６で覆い、本体１０２と透光性カバー１０６を同じ径の円筒としている。また前記ＬＥＤ照明装置１０１の両端には、商用電源を取り込むためのソケット１１０を取付けている。そして、前記ＬＥＤ基板１０４の下面には回転型切替スイッチ１０７ａを取付け、前期回転型切替スイッチ１０７ａの回転軸１０７ｂには歯車１０８を取着している。また本体１０２には、前記歯車１０８の外周の一部を外側に露出するための開口部（図示せず）を形成し、リング部材１０３を回転可能に支持するための溝（図示せず）を形成している。このように第三の実施例で示す略直管状のＬＥＤ照明装置１０１においても、リング部材１０３が本体１０２の溝（図示せず）に嵌った状態で回転可能に支持され、前記リング部材１０３を回転させることで、前記リング部材１０３内周の歯部（図示せず）と噛合している歯車１０８が回転して回転型切替スイッチ１０７ａが切替えられる。
【００２２】
このように、装置外側となる本体外周に、ＬＥＤ基板または電源回路基板に取付けた可変抵抗器または切替スイッチを操作するリング部材を設けたことで、外観の意匠性を損なうことなく簡単な手動操作により照明の明るさまたは色合いを調整することができる。また、前記リング部材と透光性カバーを一体に成形することで、前記透光性カバーを回転させることでも、照明の明るさまたは色合いを調整することができるため、特に電気スタンドなど手元で使う用途においては、操作性の面でも優れたＬＥＤ照明装置を提供することができる。尚、回転型切替スイッチの回転方向は順方向、逆方向どちらで操作しても良い。さらにＬＥＤ基板に配設されているＬＥＤ４ａは数量を限定せず、複数又は単数のいづれであっても照射光量が調整可能である。
【符号の説明】
【００２３】
１  ＬＥＤ照明装置
２  本体
２ａ  切欠き
２ｂ  溝
３  リング部材
３ａ  凸部
３ｂ  歯部
４  ＬＥＤ基板
４ａ  ＬＥＤ
４ｂ  ＬＥＤ
５  電源回路基板
６  透光性カバー
７  切替スイッチ
７ａ  回転型切替スイッチ
７ｂ  回転軸
７ｃ  スライド型切替スイッチ
７ｄ  操作部
８  歯車
９  可変抵抗器
１０  口金
１１  電源回路
１２  商用電源
１０１  ＬＥＤ照明装置
１０２  本体
１０３  リング部材
１０４  ＬＥＤ基板
１０４ａ  ＬＥＤ
１０５  電源回路基板
１０６  透光性カバー
１０７ａ  回転型切替スイッチ
１０７ｂ  回転軸
１０８  歯車
１１０  ソケット